(57)【要約】【課題】清掃用具を区別して容易に出し入れでき、洗浄に手間がかからず、衛生的に優れた清掃用具収納容器を提供する。【解決手段】有底の円筒状容器である主胴部１に、仕切部２、係留部３及び持手部４を一体に備える。仕切部２は、主胴部１の内部に、複数種類の清掃用具が、区別して収納できる空間を形成するように設ける。主胴部１の底面に、複数の排水孔１ａを形成する。持手部４を、主胴部１の上縁部に設ける。係留部３を、主胴部１がバケツＢ内に挿入された場合に、バケツＢの上縁に係留されるように構成する。バケツＢの内底と主胴部１の底面との間に、間隙が形成されるように、主胴部１の高さを設定する。【選択図】  図１
2004229755.tif 000002
【特許請求の範囲】
【請求項１】
有底容器である主胴部と、前記主胴部の内部に清掃用具を収納可能な大きさの空間が形成されるように配設された仕切部と、前記主胴部をバケツ内に挿入した際にバケツの上縁に係留される係留部とが一体に形成され、
前記主胴部には、その内部に導入された液体を排出する排水孔が形成され、
前記主胴部がバケツ内に挿入された際に、前記主胴部の外底とバケツの内底との間に間隙が形成されるように、前記主胴部の高さが設定されていることを特徴とする清掃用具収納容器。
【請求項２】
前記仕切部によって形成される空間は、清掃用具の種類に応じて複数設けられていることを特徴とする請求項１記載の清掃用具収納容器。
【請求項３】
前記主胴部の上部には、少なくとも片手で把持可能な持手部が形成されていることを特徴とする請求項１又は請求項２記載の清掃用具収納容器。
【請求項４】
樹脂製であることを特徴とする請求項１〜３のいずれか１項に記載の清掃用具収納容器。
【発明の詳細な説明】
【０００１】
【発明の属する技術分野】
本発明は、清掃用具を収納するための容器に係り、特に、その使い勝手に改良を施した清掃用具収納容器に関するものである。
【０００２】
【従来の技術】
トイレや洗面台等の清掃には、一般に、柄付ブラシやスポンジ等が用いられる。このようなブラシやスポンジには、使用後にも水や洗剤が付着しており、これが床に流れ出すのを防止するために、ブラシやスポンジを何らかの容器に収納しておく場合が多い。かかる容器としては、例えば、特許文献１及び特許文献２に記載されているように、清掃用具に応じて、そのブラシやスポンジ等を受容するポケット状の容器を備えたものが提案されている。
【０００３】
但し、かかる容器では、液体が狭い容器内に溜まり易く、容器内の排水や清掃の手間がかかる。これに対処するため、バケツ内に入れて使用する分解組立式の器具が開発されている。これは、例えば、図１３に示すように、円盤状の板に複数の排水孔５ａが形成された底板５と、脚板６及び仕切板７によって構成されている。そして、使用時には、図１４に示すように、２枚の脚板６を十字に組んで上げ底の台を作り、これをバケツＢの内底に置く。その上に、底板５を水平に載せ、さらにその上に２枚の仕切板７を十字に組み立てて載せ、図１５に示すように、バケツＢ内を４等分する。仕切板７上部の切欠によって構成される空間には、ボールＣのような容器を載せて使用することができる。このように仕切板７によって仕切られた空間に、それぞれ別の清掃用具を収納することができる。収納されたブラシやスポンジからの液体は、底板５の排水孔５ａからバケツＢ内に落ちる。さらに、バケツＢ内に汚水が溜まった場合には、バケツＢ内から清掃用具を取り出した後に、各板を分解して取り出し、バケツＢ及び板を洗浄する。
【０００４】
【特許文献１】
実開平２−１４７０９８号公報
【特許文献２】
特開２０００−１８３号公報
【０００５】
【発明が解決しようとする課題】
しかしながら、上記のようなバケツ利用型の清掃用具収納容器においては、清掃作業終了後、バケツ内から清掃用具及び各板を取り出し、洗浄した後に又改めてバケツ内に組み立てなければならないために、非常に手間がかかる。
【０００６】
また、使用する清掃用具は、ブラシやスポンジについては洗面台用やトイレ用があり、各種洗剤の容器、雑巾など、数と種類が多いにもかかわらず、バケツの中の区切り方が、どこに何を入れたらよいかというように、細かな点まで考慮されたものではなく、収納する場所も清掃用具の数よりも少ない。このため、一箇所に２つ以上の清掃用具を入れなければならず、出し入れが非常に不便であり、洗面台用とトイレ用の清掃用具が接触等して衛生上好ましくない。
【０００７】
本発明は、上記のような従来技術の問題点を解決するために提案されたものであり、その目的は、清掃用具を区別して容易に出し入れすることができ、洗浄に手間がかからず、衛生的に優れた清掃用具収納容器を提供することにある。
【０００８】
【課題を解決するための手段】
上記の目的を達成するため、請求項１記載の発明は、有底容器である主胴部と、前記主胴部の内部に清掃用具を収納可能な大きさの空間が形成されるように配設された仕切部と、前記主胴部をバケツ内に挿入した際にバケツの上縁に係留される係留部とが一体に形成され、前記主胴部には、その内部に導入された液体を排出する排水孔が形成され、前記主胴部がバケツ内に挿入された際に、前記主胴部の外底とバケツの内底との間に間隙が形成されるように、前記主胴部の高さが設定されていることを特徴とする。
以上のような請求項１記載の発明では、全てが一体に形成されているので、清掃作業終了後、バケツ内から清掃用具ごと主胴部を取り出し、バケツ及び主胴部を洗浄した後に、主胴部をバケツ内に戻すことによって、分解組立等の手間がかからす、洗浄作業の効率が良くなる。
【０００９】
請求項２記載の発明は、請求項１記載の清掃用具収納容器において、前記仕切部によって形成される空間は、清掃用具の種類に応じて複数設けられていることを特徴とする。
以上のような請求項２記載の発明では、多種の清掃用具がある場合であっても、それらを区別して別個に収納することができるので、出し入れが非常に便利であり、衛生上も優れている。
【００１０】
請求項３記載の発明は、請求項１又は請求項２記載の清掃用具収納容器において、前記主胴部の上部には、少なくとも片手で把持可能な持手部が形成されていることを特徴とする。
以上のような請求項３記載の発明では、持手部によって、バケツからの出し入れがより一層便利となる。
【００１１】
請求項４記載の発明は、請求項１〜３のいずれか１項に記載の清掃用具収納容器において、樹脂製であることを特徴とする。
以上のような請求項４記載の発明では、樹脂の一体成形品として製造できるため、軽量、安価で汚れが付着しにくく、洗浄も容易である。
【００１２】
【発明の実施の形態】
本発明の実施の形態（以下、実施形態とする）を、図面を参照して以下に説明する。
【００１３】
［実施形態の構成］
まず、本実施形態の構成を、図１〜３を参照して説明する。なお、図１は本実施形態の斜視図、図２は平面図、図３はバケツに挿入した状態を示す斜視図である。すなわち、本実施形態は、図１に示すように、有底の円筒状容器である主胴部１に、仕切部２、係留部３及び持手部４を備えた樹脂一体成形品である。仕切部２は、主胴部１の内部に、複数種類の清掃用具が区別して収納できる空間を形成するように設けられている。例えば、本実施形態においては、図２に示すように、二枚の仕切部２によって、水平断面が略長方形状の空間が形成され、この空間を挟んで、水平断面が略半円形状の二つの空間が存在し、さらにその略半円形状の空間が、二枚の仕切部２によってそれぞれ三つに区切られている。
【００１４】
主胴部１の底面には、複数の排水孔１ａが形成されている。持手部４は、片手で把持可能な棒状であり、主胴部１の上縁部に設けられている。係留部３は、主胴部１の上縁部の径が拡大された部分であり、図３に示すように、主胴部１がバケツＢ内に挿入された場合に、バケツＢの上縁に係留されるように構成されている。なお、このとき、バケツＢの内底と主胴部１の底面との間に、間隙が形成されるように、主胴部１の高さが設定されている。例えば、間隙の高さｈを３ｃｍ程度となるようにすることが考えられるが、この数字に限定されるものではない。
【００１５】
［実施形態の作用］
以上のような構成を有する本実施形態は、以下のように使用する。すなわち、持手部４、係留部３等を手で持って、主胴部１をバケツＢに挿入すると、図３に示すように、係留部３がバケツＢの上縁に係留することによって、バケツＢ内に主胴部１が装着される。そして、図２に示すように、仕切部２によって仕切られた各収納空間に、清掃用具を収納する。このとき、清掃用具に付いた汚水及び洗剤等は、主胴部１の底面の排水孔１ａからバケツＢの内底に排出される。
【００１６】
例えば、水平断面が略長方形状の空間には各種の洗剤を収納し、一方の部分円形状の空間（三つに分かれている）には、それぞれトイレ用の柄付きブラシ、スポンジ等を収納し、他方の部分円形状の空間（三つに分かれている）には、それぞれ洗面台用の柄付きブラシ、スポンジ等を収納することが可能である。このように、トイレ用と洗面台用の清掃用具を分けることによって、両者が接触することが防止される。また、持手部４には、雑巾等を掛けることができる。
【００１７】
さらに、清掃作業終了後等に、バケツＢを洗浄する際には、持手部４、係留部３等を手で持って、バケツＢ内から清掃用具ごと主胴部１を取り出し、バケツＢ及び主胴部１を洗浄した後に、再び主胴部１をバケツ内に戻す。
【００１８】
［実施形態の効果］
以上のような本実施形態によれば、主胴部１、仕切部２、係留部３及び持手部４が全て一体に形成されているので、洗浄する際には、バケツＢ内から清掃用具ごと主胴部１を取り出し、洗浄後には、主胴部１をバケツＢ内に戻せばよい。従って、分解組立等の手間がかからず、洗浄作業が楽になる。
【００１９】
また、仕切部２によって形成される空間が、清掃用具の種類に応じて多数形成されているので、区別して収納しやすく、出し入れが便利となり、清掃作業が手早くできる。また、個々の清掃用具を別個に収納することができるので、衛生上も優れている。特に、上記のように、トイレ用と洗面台用の空間を区別することによって、汚水の混ざりを防止できる。
【００２０】
また、持手部４があることによって、バケツＢからの出し入れがより一層便利となる。特に、本実施形態のような持手部４は、雑巾を掛けるなどの用途もあるので、さらに使いやすい。また、本実施形態は、樹脂の一体成形品として製造できるため、軽量で持ち運びし易く、安価である。さらに、樹脂製なので汚れが付着しにくく、洗浄も容易である。
【００２１】
［他の実施形態］
本発明は、上記の実施形態に限定されるものではなく、各部材の大きさ、形状、数、材質等は適宜変更可能である。例えば、主胴部の形状は円筒には限定されず、多角形状、半球状等どのような形状であってもよい。図４は多角形状の例、図５は半球状の例である。主胴部の底面に形成される排水孔の数や大きさも自由である。例えば、ざる状、網状となるような排水孔及び底面形状であってもよい。底面以外に排水孔を形成してもよい。また、仕切部による仕切の形状は、上記で例示したものには限定されず、どのような形状であってもよい。図６は、中央に円筒状、その外側に放射状の仕切部２を設けた例である。また、主胴部の内部形状も自由である。例えば、図７に示すように、主胴部１及び仕切部２の内部の角をなくして曲面とすることによって、汚れの滞留を防止するとともに、付着した汚れも容易に落とせるようにすることも可能である。
【００２２】
持手部４の形状や数も、上記の実施形態で例示したものには限定されない。例えば、図８に示すように、対向部に一対設けることも可能である。図９に示すように、持手部４にバケツＢの上縁に係留される溝４ａを形成することによって、係留部３の代わりとすることができる。特に、溝４ａを複数設けることによって、異なるバケツＢの大きさに対応できるようにすることも可能である。同様に、図１０に示すように、係留部３を長く形成したり、図１１に示すように、複数設けることによって、複数種の径のバケツＢに対応できるようにすることも可能である。図１２に示すように、主胴部１の上部外径を太くして、係留部３とすることも可能である。
【００２３】
また、本発明の製法は自由であり、鋳型によるもの、金型によるもの等、どのような方法で製造されたものであってもよい。また、その材料も、必ずしも樹脂には限定されない。また、本発明が使用される「バケツ」は、必ずしもバケツとして販売されている商品には限定されず、バケツと同様に水を溜める機能を果たす容器を広く意味するものである。さらに、本発明を使用する際には、バケツを用いなくても、水はけのよい収納容器として使用することもできる。
【００２４】
【発明の効果】
以上説明したように、本発明によれば、清掃用具を区別して容易に出し入れすることができ、洗浄に手間がかからず、衛生的に優れた清掃用具収納容器を提供することができる。
【図面の簡単な説明】
【図１】本発明の清掃用具収納容器の一実施形態を示す斜視図である。
【図２】図１の実施形態の平面図である。
【図３】図１の実施形態のバケツへの装着状態を示す斜視図である。
【図４】多角形状の主胴部とした実施形態を示す斜視図である。
【図５】半球状の主胴部とした実施形態を示す斜視図である。
【図６】仕切部形状を変えた実施形態を示す斜視図である。
【図７】内部の角をなくした実施形態を示す断面図である。
【図８】持手部を対向部に一対設けた実施形態を示す斜視図である。
【図９】持手部に溝を形成した実施形態を示す側面図である。
【図１０】係留部を長く形成した実施形態を示す側面図である。
【図１１】係留部を複数設けた実施形態を示す平面図である。
【図１２】主胴部と係留部とを兼用させた実施形態を示す側面図である。
【図１３】従来のバケツ利用型清掃用具収納容器の一例を示す分解斜視図である。
【図１４】図１３の従来技術の組立過程を示す斜視図である。
【図１５】図１３の従来技術のバケツ装着状態を示す斜視図である。
【符号の説明】
１…主胴部
１ａ，５ａ…排水孔
２…仕切部
３…係留部
４…持手部
４ａ…溝
５…底板
６…脚板
７…仕切板
Ｂ…バケツ
【図１】
2004229755.tif 000003
【図２】
2004229755.tif 000004
【図３】
2004229755.tif 000005
【図４】
2004229755.tif 000006
【図５】
2004229755.tif 000007
【図６】
2004229755.tif 000008
【図７】
2004229755.tif 000009
【図８】
2004229755.tif 000010
【図９】
2004229755.tif 000011
【図１０】
2004229755.tif 000012
【図１１】
2004229755.tif 000013
【図１２】
2004229755.tif 000014
【図１３】
2004229755.tif 000015
【図１４】
2004229755.tif 000016
【図１５】
2004229755.tif 000017
【手続補正書】
【提出日】平成15年6月16日(2003.6.16)
【手続補正１】
【補正対象書類名】明細書
【補正対象項目名】特許請求の範囲
【補正方法】変更
【補正の内容】
【特許請求の範囲】
【請求項１】
有底容器である主胴部と、前記主胴部の内部に清掃用具を収納可能な大きさの空間が形成されるように配設された仕切部と、前記主胴部をバケツ内に挿入した際にバケツの上縁に係留される係留部とが一体に形成され、
前記主胴部には、その内部に導入された液体を排出する排水孔が形成され、
前記主胴部がバケツ内に挿入された際に、前記主胴部の外底とバケツの内底との間に間隙が形成されるように、前記主胴部の高さが設定され、
前記仕切部によって形成される空間は、清掃用具の種類に応じて複数設けられ、
前記主胴部の上部には、少なくとも片手で把持可能な持手部が形成され、
前記持手部には、バケツの上縁に係留される溝が複数設けられていることを特徴とする清掃用具収納容器。
【請求項２】
前記主胴部内部における前記仕切部との境界が曲面であることを特徴とする請求項１記載の清掃用具収納容器。
【請求項３】
樹脂製であることを特徴とする請求項１又は２記載の清掃用具収納容器。
【手続補正２】
【補正対象書類名】明細書
【補正対象項目名】０００８
【補正方法】変更
【補正の内容】
【０００８】
【課題を解決するための手段】
上記の目的を達成するため、請求項１記載の発明は、有底容器である主胴部と、前記主胴部の内部に清掃用具を収納可能な大きさの空間が形成されるように配設された仕切部と、前記主胴部をバケツ内に挿入した際にバケツの上縁に係留される係留部とが一体に形成され、前記主胴部には、その内部に導入された液体を排出する排水孔が形成され、前記主胴部がバケツ内に挿入された際に、前記主胴部の外底とバケツの内底との間に間隙が形成されるように、前記主胴部の高さが設定され、前記仕切部によって形成される空間は、清掃用具の種類に応じて複数設けられ、前記主胴部の上部には、少なくとも片手で把持可能な持手部が形成され、前記持手部には、バケツの上縁に係留される溝が複数設けられていることを特徴とする。


【手続補正３】
【補正対象書類名】明細書
【補正対象項目名】０００９
【補正方法】変更
【補正の内容】
【０００９】
以上のような請求項１記載の発明では、持手部によって、バケツからの出し入れが便利となるとともに、持手部に形成された複数の溝によって、異なるバケツの大きさに対応することができる。また、全てが一体に形成されているので、清掃作業終了後、バケツ内から清掃用具ごと主胴部を取り出し、バケツ及び主胴部を洗浄した後に、主胴部をバケツ内に戻すことによって、分解組立等の手間がかからす、洗浄作業の効率が良くなる。さらに、多種の清掃用具がある場合であっても、それらを区別して別個に収納することができるので、出し入れが非常に便利であり、衛生上も優れている。


【手続補正４】
【補正対象書類名】明細書
【補正対象項目名】００１０
【補正方法】変更
【補正の内容】
【００１０】
請求項２記載の発明は、請求項１記載の清掃用具収納容器において、前記主胴部内部における前記仕切部との境界が曲面であることを特徴とする。
以上のような請求項２記載の発明では、主胴部及び仕切部の内部の角がなく曲面であるため、汚れの滞留が防止されるとともに、付着した汚れも容易に落とすことができる。


【手続補正５】
【補正対象書類名】明細書
【補正対象項目名】００１１
【補正方法】変更
【補正の内容】
【００１１】
請求項３記載の発明は、請求項１又は２記載の清掃用具収納容器において、樹脂製であることを特徴とする。
以上のような請求項３記載の発明では、樹脂の一体成形品として製造できるため、軽量、安価で汚れが付着しにくく、洗浄も容易である。




【手続補正書】
【提出日】平成15年10月6日(2003.10.6)
【手続補正１】
【補正対象書類名】明細書
【補正対象項目名】特許請求の範囲
【補正方法】変更
【補正の内容】
【特許請求の範囲】
【請求項１】
有底容器である主胴部と、前記主胴部の内部に清掃用具を収納可能な大きさの空間が形成されるように配設された仕切部と、前記主胴部をバケツ内に挿入した際にバケツの上縁に係留される係留部とが、樹脂により一体に形成され、
前記主胴部には、その内部に導入された液体を排出する排水孔が形成され、
前記主胴部がバケツ内に挿入された際に、前記主胴部の外底とバケツの内底との間に間隙が形成されるように、前記主胴部の高さが設定され、
前記仕切部によって形成される空間は、清掃用具の種類に応じて複数設けられ、
前記主胴部の上部には、少なくとも片手で把持可能な持手部が、樹脂により前記主胴部と一体に形成され、
前記持手部には、バケツの上縁に係留される溝が複数設けられ、
前記主胴部内部における前記仕切部との境界が曲面であることを特徴とする清掃用具収納容器。
【手続補正２】
【補正対象書類名】明細書
【補正対象項目名】０００８
【補正方法】変更
【補正の内容】
【０００８】
【課題を解決するための手段】
上記の目的を達成するため、請求項１記載の発明は、有底容器である主胴部と、前記主胴部の内部に清掃用具を収納可能な大きさの空間が形成されるように配設された仕切部と、前記主胴部をバケツ内に挿入した際にバケツの上縁に係留される係留部とが、樹脂により一体に形成され、前記主胴部には、その内部に導入された液体を排出する排水孔が形成され、前記主胴部がバケツ内に挿入された際に、前記主胴部の外底とバケツの内底との間に間隙が形成されるように、前記主胴部の高さが設定され、前記仕切部によって形成される空間は、清掃用具の種類に応じて複数設けられ、前記主胴部の上部には、少なくとも片手で把持可能な持手部が、樹脂により前記主胴部と一体に形成され、前記持手部には、バケツの上縁に係留される溝が複数設けられ、前記主胴部内部における前記仕切部との境界が曲面であることを特徴とする。


【手続補正３】
【補正対象書類名】明細書
【補正対象項目名】０００９
【補正方法】変更
【補正の内容】
【０００９】
以上のような請求項１記載の発明では、持手部によって、バケツからの出し入れが便利となるとともに、持手部に形成された複数の溝によって、異なるバケツの大きさに対応することができる。また、全てが一体に形成されているので、清掃作業終了後、バケツ内から清掃用具ごと主胴部を取り出し、バケツ及び主胴部を洗浄した後に、主胴部をバケツ内に戻すことによって、分解組立等の手間がかからず、洗浄作業の効率が良くなる。また、多種の清掃用具がある場合であっても、それらを区別して別個に収納することができるので、出し入れが非常に便利であり、衛生上も優れている。


【手続補正４】
【補正対象書類名】明細書
【補正対象項目名】００１０
【補正方法】変更
【補正の内容】
【００１０】
また、請求項１記載の発明では、主胴部及び仕切部の内部の角がなく曲面であるため、汚れの滞留が防止されるとともに、付着した汚れも容易に落とすことができる。


【手続補正５】
【補正対象書類名】明細書
【補正対象項目名】００１１
【補正方法】変更
【補正の内容】
【００１１】
また、請求項１記載の発明では、樹脂の一体成形品として製造できるため、軽量、安価で汚れが付着しにくく、洗浄も容易である。